(57)【要約】【課題】簡単な構成を有し、迅速かつ容易に設置可能であり、また、遊興性にも優れ、防災からレジャー及びイベント等にまで幅広く用いることのできる家屋を提供する。【解決手段】支柱部材と、前記支柱部材の上端部側を中心として開閉可能な屋根部材と、前記支柱部材の下端部側を中心として開閉可能な床部材と、該床部材の上面から上方に延び、前記床部材との間の角度が変更可能であり、前記支柱部材を挟んで一対である側壁部材と、を備える折畳式家屋。【選択図】図１
0003150842.tif 000002
【実用新案登録請求の範囲】
【請求項１】
支柱部材と、
前記支柱部材の上端部側を中心として開閉可能な屋根部材と、
前記支柱部材の下端部側を中心として開閉可能な床部材と、
該床部材の上面から上方に延び、前記床部材との間の角度が変更可能であり、前記支柱部材を挟んで一対である側壁部材と
を備える折畳式家屋。
【請求項２】
前記一対の側壁部材が、
前記床部材の開放動作により支柱部材に対して互いに離間し、
前記床部材の閉鎖動作により支柱部材に対して互いに近接する、
請求項１に記載の折畳式家屋。
【請求項３】
前記一対の側壁部材の間に、前記支柱部材方向に折り畳み可能な前後壁部材を備え、
前記前後壁部材が前記支柱部材の長手方向に滑動可能である、
請求項１又は２に記載の折畳式家屋。
【請求項４】
前記前後壁部材に、前記支柱部材を受容する滑動ガイドを備える、
請求項１〜３のうちのいずれかに記載の折畳式家屋。
【請求項５】
前記屋根部材が閉状態であり、また前記床部材が閉状態であるとき、
前記屋根部材の一部と前記床部材の一部とが長手方向で互いに重畳し、
前記屋根部材又は前記床部材のうち少なくとも一方の重畳部分に、互いを閉状態に固定する固定手段を備える、
請求項１〜４のうちのいずれかに記載の折畳式家屋。
【考案の詳細な説明】
【技術分野】
【０００１】
本考案は簡単な構成で迅速に設置可能な折り畳み式の家屋に関する。
【背景技術】
【０００２】
近年、地球環境の変化が著しく、気候の大幅な変動に伴う集中豪雨や大型台風などに代表される自然災害により大きな被害が生じている。また、大型の地震も頻発し、特に地震大国といわれる我が国では、地震などの自然災害に対する対策が急務となっている。
【０００３】
災害で家を失った住民には仮設住宅が提供されてきた。しかし、従来用いられてきた仮設住宅は鉄骨や壁などを組み合わせなければならず（例えば、特許文献１、２及び３参照）、住宅の施工に手間と時間を要していた。したがって、災害後すぐに住宅を必要とする被災住民のニーズには十分に応えられていなかった。
【０００４】
かかる問題を解決するため、提供時に施工の必要がない折畳式の家屋が存在する（特許文献４及び５参照）。
【先行技術文献】
【特許文献】
【０００５】
【特許文献１】特開２００６−２８３４８９号公報
【特許文献２】特開２００７−１９８１０８号公報
【特許文献３】特開２００８−１８４８０１号公報
【特許文献４】特開平０９−００４０６０号公報
【特許文献５】特開２００６−２８３４０５号公報
【考案の概要】
【考案が解決しようとする課題】
【０００６】
しかし、従来の折畳式家屋は、壁部材の起立が必要であるなど、必ずしも組立てが容易ではなかった。災害時の仮設住宅として用いる際には、人的資源が限られているため、被災住民が自分で組み立てられることが望まれる。したがって、災害時用の家屋はできるだけ簡単な構造で、容易かつ迅速に設置可能である必要があった。
【０００７】
また、災害時以外にも、レジャーやイベントなどで一時的に家屋を利用したいというニーズがある。しかしながら、従来の折畳式家屋は、展開時にコンテナ形状であったため遊興性に乏しく、レジャーやイベントなどの華やかな舞台にそぐわなかった。
【０００８】
すなわち、本考案は、簡単な構成で、迅速かつ容易に設置可能であり、また防災、イベントやレジャーなど幅広い用途で使用できる折畳式家屋を提供することを目的とする。
【課題を解決するための手段】
【０００９】
本考案の折畳式家屋は、支柱部材と、支柱部材の上端部側を中心として開閉可能な屋根部材と、支柱部材の下端部側を中心として開閉可能な床部材と、床部材の上面から上方に延び床部材との間の角度が変更可能であり支柱部材を挟んで一対である側壁部材とを備える。
【００１０】
また、本考案の折畳式家屋における一対の側壁部材は、床部材の開放動作により支柱部材に対して互いに離間し、また床部材の閉鎖動作により支柱部材に対して近接するものであってもよい。
【００１１】
また、本考案の折畳式家屋は、一対の側壁部材の間に、支柱部材方向に折り畳み可能な前後壁部材を備え、さらに前後壁部材は支柱部材の長手方向に滑動可能であってもよい。また、前後壁部材は支柱部材を受容する滑動ガイドを備えるものであってもよい。
【００１２】
また、屋根部材が閉状態であり、また床部材が閉状態であるとき、屋根部材の一部と床部材の一部とが長手方向で互いに重畳し、屋根部材又は床部材のうち少なくとも一方の重畳部分に、互いを閉状態に固定する固定手段を備えるものであってもよい。
【考案の効果】
【００１３】
本考案の折畳式家屋は、簡単な構成であって、折り畳み状態から迅速かつ容易に展開することができ、さらに展開状態から迅速かつ容易に折り畳むことができる。したがって、本考案の折畳式家屋は、災害時においては迅速に設置し展開することができる。展開には専門知識を必要としないため、一般の被災住民であっても対応が可能である。
【００１４】
また、本考案の折畳式家屋はコンパクトなサイズに折り畳み可能であるため、保管や輸送を効率的に行うことができる。したがって、防災のために大量に備蓄し、また必要時には大量かつ迅速に輸送することが可能となる。
【００１５】
また、本考案の折畳式家屋は、前後壁部材が折り畳み可能であり、また支柱部材の長手方向に滑動可能である。このため、展開時に広げられた前後壁部材を、水平方向にコンパクトに収めることができる。また、前後壁部材に備える滑動ガイドによって前後壁部材の収納がスムーズに行われるため、折畳式家屋の展開動作及び折り畳み動作がさらに容易になる。さらに、閉状態の屋根部と閉状態の床部が重畳的し固定手段を有することで、折畳式家屋が折り畳み状態でしっかりと固定される。
【００１６】
すなわち、本考案の折畳式家屋は展開動作及び折り畳み動作が容易であり、必要に応じて迅速かつ効率的に家屋を提供することが可能である。また本考案によれば、コンテナ形状のみならず、さまざまな形状の家屋を提供することができるため、災害時の仮設住宅や、レジャーやイベントなどにおける短期的な施設など、幅広い用途に利用することができる。
【図面の簡単な説明】
【００１７】
【図１】本考案の家屋の展開状態における斜視図である。
【図２】本考案の家屋の展開状態における正面図である。
【図３】本考案の家屋を展開状態から折り畳み状態とするときの、床部材、前後壁部材、側壁部材及び支柱部材の概略図である。
【図４】本考案の家屋における滑動ガイドの概略図である。
【図５】本考案の家屋を展開状態から折り畳み状態とするときの、屋根部材及び支柱部材の概略図である。
【図６】本考案の家屋の折り畳み状態における斜視図である。
【考案を実施するための最良の形態】
【００１８】
本考案の折畳式家屋の実施形態について、一例を図１、図２、図３、図４、図５及び図６を用いて詳細に説明する。以下、図面において示す参照番号は、同一の番号は同一ものを示している。
【００１９】
図１は、本考案の折畳式家屋の展開状態における斜視図である。また、図２は、展開状態における本考案の折畳式家屋の正面図である。また、図３は、本考案の折畳式家屋の折り畳み動作中の床部材、前後壁部材、側壁部材及び支柱部材の概略図である。図４は本考案の滑動ガイドの概略図である。また、図５は本考案の折畳式家屋の折り畳み動作中の屋根部材及び支柱部材の概略図である。また、図６は本考案の折畳式家屋の折り畳み状態における斜視図である。
【００２０】
まず、図１及び図２を参照して、展開状態にある折畳式家屋１０について説明する。折畳式家屋１０は支柱部材として２本の支柱１２を有する。支柱１２は、床部材１４において、左右方向（図１において矢印Ｘで示される方向）の中心部かつ前後方向（図１において矢印Ｚで示される方向）の両端部となる位置から上方に向かって略垂直に延びている。
【００２１】
床部材１４は、折畳式家屋１０の下面に配置される板状部材である。図２に示すように、床部材１４は、第一床部材１４ａ、第二床部材１４ｂ及び第三床部材１４ｃから構成される。第一床部材１４ａと第三床部材１４ｂは支柱１２に対して左右対称となるように構成される。また第二床部材１４ｂは２本の支柱１２の下端部と連結する。
【００２２】
床部材１４は、支柱１２の下端部側を中心として開閉可能である。具体的には、第一床部材１４ａと第二床部材１４ｂとの間、及び第三床部材１４ｃと第二床部材との間に、それぞれ回転軸線１６ａ及び１６ｂが備えられる。第一床部材１４ａは回転軸線１６ａを中心に右回転可能であり、第三床部材１４ｃは回転軸線１４ｂを中心に左回転可能である。この回転動作は、床部材１４全体としてみれば、支柱１２下端部側を中心とした閉鎖動作であるといえる（図３参照。ただし詳細は後述する。）。また、閉状態にある床部材１４については、第一床部材１４ａ及び第三床部材１４ｃをそれぞれ閉鎖動作の逆方向に回転させることができ、床部材１４全体としてみれば支柱１２下端部側を中心とした開放動作であるといえる。
【００２３】
前後壁部材１８は、折畳式家屋１０の前面及び後面に配置される板状部材である。前面及び後面の各前後壁部材１８は同一形状である。前後壁部材１８は、紙面左から第一前後壁部材１８ａ、第二前後壁部材１８ｂ、及び第三前後壁部材１８ｃから構成される。第一前後壁部材１８ａと第三前後壁部材１８ｃとは支柱１２に対して左右対称となるように構成される。
【００２４】
第一前後壁部材１８ａと第二前後壁部材１８ｂと、第三前後壁部材１８ｃと第二前後壁部材１８ｂとの間の角度はそれぞれ変更可能である。したがって、第一前後壁部材１８ａと第二前後壁部材１８ｂとの間の角度、第三前後壁部材１８ｃと第二前後壁部材１８ｂとの間の角度は、折畳式家屋１０の展開、折り畳みに伴って変更される。
【００２５】
第一前後壁部材１８ａ及び第三前後壁部材１８ｃはそれぞれ、内側に向かって山折りされる折り目から構成される折り畳みガイド２０ａ、２０ｂを備える。また、図４に示すように、第二前後壁部材１８ｂは裏面に滑動ガイド２２を有する。滑動ガイド２２の構造及び機能については後述する。前後壁部材１８は側壁部材２４と連結されているが、一方で、前後壁部材１８と床部材１４との固定は、折り畳み動作中及び展開動作中は解除される。
【００２６】
上記のように、第一前後壁部材１８ａ及び第三前後壁部材１８ｃは、折り畳みガイド２０ａ、２０ｂ上にそれぞれ窓２６を備える。そのため、後述する前後壁部材１８の折り畳みが折り畳みガイド２０ａ、２０ｂ上で容易になる。
【００２７】
側壁部材２４は折畳式家屋１０の左側面及び右側面に一対であり、支柱１２を挟んで支柱１２と略平行に配置される部材である。側壁部材２４は同一形状の左側壁部材２４ａ及び右側壁部材２４ｂからなる。両側壁部材２４ａ、２４ｂは床部材１４の上面から上方に延びており、床部材１４と側壁部材２４との間の角度２８はそれぞれ変更可能である。すなわち、床部材１４と側壁部材２４との間の角度２８は床部材１４の折り畳み・展開に伴って変更される。一方、側壁部材２４は前後壁部材１８とも連結しており、側壁部材２４と前後壁部材１８と間の角度も、折畳式家屋１０の折り畳み、展開に伴って変更される。
【００２８】
屋根部材３０は、図２に示すように、紙面左から第一屋根部材３０ａ、第二屋根部材３０ｂ及び第三屋根部材３０ｃから構成される。２本の支柱１２の上端部は第二屋根部材３０ｂの上面裏側に連結している。第一屋根部材３０ａは、第二屋根部材３０ｂとの連結部から紙面斜め左下方向へ、第三屋根部材３０ｃは紙面斜め右下方向へ延び、第一屋根部材３０ａ及び第二屋根部材３０ｃの下端部は側壁部材２４の外側まで達する。
【００２９】
第一屋根部材３０ａと第二屋根部材３０ｂ、第三屋根部材３０ｃと第二屋根部材３０ｂ、との間の角度はそれぞれ変更可能である。したがって、第一屋根部材３０ａと第二屋根部材３０ｂとの間の角度及び第三屋根部材３０ｃと第二屋根部材３０ｂとの間の角度は屋根部材３０の開閉動作に伴って変更される。
【００３０】
屋根部材３０は、支柱１２の上端部側を中心として開閉可能に構成されている。すなわち、第一屋根部材３０ａと第二屋根部材３０ｂとの間、及び第三屋根部材３０ｃと第二屋根部材との間にそれぞれ回転軸線３２ａ及び３２ｂが備えられている。第一屋根部材３０ａは回転軸線３２ａを中心に左回転可能であり、第三屋根部材３０ｃは回転軸線３２ｂを中心に右回転可能である。かかる回転動作は、屋根部材３０全体としてみれば、支柱１２上端側を中心とした閉鎖動作であるといえる。また、閉状態にある屋根部材３０については、第一屋根部材３０ａ及び第三屋根部材３０ｃを閉鎖動作の逆方向に回転させることができ、これは屋根部材３０全体としてみれば支柱１２上端部側を中心とした開放動作である。
【００３１】
また、第一屋根部材３０ａ及び第三屋根部材３０ｃは、それぞれ３つの折り畳みガイド３４ａ〜３４ｆを備える。折り畳みガイド３４ａ、３４ｄは内側に向かって山折りされる折り目で構成されて内向きへ、折り畳みガイド３４ｂ、３４ｅは外側に向かって山折りされる折り目で構成されて外向きへ、折り畳みガイド３４ｃ、３４ｆは内側に向かって山折りされる折り目で構成されて内向きへ、それぞれ屋根部材３０の折り畳みを誘導する。
【００３２】
本考案の折畳式家屋１０を構成する各部材の材料は特に限定されない。具体的には、木材（例えばベニヤ板）やプラスチック、紙（例えば段ボールシート）、金属などを用いることが可能である。
【００３３】
次に、図３及び図４を参照して、折畳式家屋１０の折り畳み動作、すなわち展開状態から折り畳み状態にする動作を、床部材１４、前後壁部材１８及び側壁部材２４に注目してより詳細に説明する。
【００３４】
まず、図３を参照して、床部材１４の閉鎖動作について説明する。開放状態にある床部材１４における第一床部材１４ａを、回転軸線１６ａを中心にして矢印Ａ方向へ向かって回転（右回転）させる。また、第三床部材１６ｃを、回転軸線１６ｂを中心として矢印Ａ’方向へ向かって回転（左回転）させる。
【００３５】
このような床部材１４の閉鎖動作に伴って、左側壁部材２４ａと右側壁部材２４ｂとが支柱に対して近接する。このとき、左側壁部材２４ａと床部材１４ａ、右側壁部材２４ｂと床部材１４ｂ、との間の角度はそれぞれ変更可能であるが、左側壁部材２４ａと第一前後壁部材１８ａ、右側壁部材２４ｂと第三前後壁部材１８ｃ、とがそれぞれ連結されているため、左側壁部材２４ａ及び右側壁部材２４ｂは支柱１２に対し略平行状態を維持する。
【００３６】
左側壁部材２４ａ及び右側壁部材２４ｂが支柱１２へ近接することにより、前後壁部材１８に対して各側壁部材２４ａ、２４ｂから支柱１２方向への力が加えられる。また、第一前後壁部材１８ａと左側壁部材２４ａ、第一前後壁部材１８ａと第二前後壁部材１８ｂ、第三前後壁部材１８ｃと右側壁部材２４ｂ、第三前後壁部材１８ｃと第二前後壁部材１８ｂ、との間の角度はそれぞれ変更可能である。したがって、第一前後壁部材１８ａと第三前後壁部材１８ｃとは折り畳みガイド２０ａ、２０ｂ上で内方向へ折り畳まれ、水平方向へ広がっていた第一前後壁部材１８ａ及び第三前後壁部材１８ｃが前後方向へ収められる。
【００３７】
次に、図４を参照して、滑動ガイド２２の構造及び前後壁部材１８の滑動について説明する。図４は、図２における前後壁部材１８を折り畳式家屋１０の内方向からみた図である。第一前後壁部材１８ａと第二前後壁部材１８ｂとは、それぞれ折り畳みガイド２０ａ、２０ｂ上で内方向に折り畳まれる。
【００３８】
滑動ガイド２２は第二前後壁部材１８ｂの裏側面に備えられる。滑動ガイド２２は支柱１２を受容する中空の筒状構造である。床部材の閉鎖動作により、前後壁部材１８に、紙面上方に力が作用する。滑動ガイド２２は支柱１２を受容しており、長手方向（紙面上下方向）の滑動が可能である。したがって、前後壁部材１８は床部材の閉鎖動作に伴って支柱１２を上方向へ滑動する。
【００３９】
さらに、図５を参照して、折畳式家屋１０の折り畳み動作を、屋根部材３０に注目してより詳細に説明する。
【００４０】
屋根部材３０の閉鎖動作は、まず、第一屋根部材３０ａを回転軸線３２ａを中心にして紙面右斜め下方向へ回転（左回転）させる。また、第二屋根部材３０ｃを回転軸線３２ｂを中心にして紙面左斜め下方向へ回転（右回転）させる。屋根部材３０の閉鎖動作に伴い、第一屋根部材３０ａ及び第三屋根部材３０ｃは折り畳みガイド上で折り畳まれ、前後方向へ収められる。
【００４１】
さらに、図６を参照して、折り畳んだ状態の折畳式家屋１０について説明する。屋根部材３０の一部と床部材１４の一部とは長手方向で互いに重畳し、屋根部材３０の一部が床部材１４の一部の外側に位置するように構成されている。重畳部には屋根部材３０と床部材１４との重畳部において固定する固定手段が設けられる。かかる固定手段により折畳式家屋１０は折り畳んだ状態で固定される。固定手段には、屋根部材３０の内側と床部材１４の外側とが互いに接着することにより固定する方法、例えば面ファスナーや、屋根部材３０と床部材１４の重畳部分に外部から圧力をかけて固定する方法、例えば圧力クランプなどを用いることができる。
【００４２】
ここで再び図３及び図５を参照し、展開動作について説明する。また、折り畳み状態にある折畳式家屋１０を展開する際には、まず上記固定手段を解除し、屋根部材３０を開放状態とし、続いて床部材１４を開放状態とする。床部材１４の開放動作によって、側壁部材２４ａ、２４ｂは支柱１２に対して互いに離間し、側壁部材２４の離間に伴って折り畳まれた前後壁部材１８が展開する。この展開に合わせて、前後壁部材が支柱１２に沿って下方向へ滑動し、折畳式家屋１０が展開状態となる。
【００４３】
以上、本考案の家屋についての実施形態を説明してきたが、ここで示された実施形態は本考案の一例に過ぎず、実用新案登録請求の範囲の精神及び教示を逸脱しない範囲で種々の設計変更が可能であり他の実施形態が存在し、それらは本考案の技術的範囲に属することは当業者に容易に理解できよう。
【００４４】
たとえば、閉状態で、床部材の一部が屋根部材の一部の外側に位置するように重畳するものであってもよく、床部材、前後壁部材及び屋根部材は一体の部材から構成されるものであってもよい。また、本考案の作用効果を損なわない範囲であれば各部材の形状や寸法も種々の変更が可能である。
【符号の説明】
【００４５】
１０：家屋
１２：支柱
１４：床部材
１８：前後壁部材
２２：滑動ガイド
２４：側壁部材
３０：屋根部材
【図１】
0003150842.tif 000003
【図２】
0003150842.tif 000004
【図３】
0003150842.tif 000005
【図４】
0003150842.tif 000006
【図５】
0003150842.tif 000007
【図６】
0003150842.tif 000008